(57)【要約】【課題】  電池の消耗状態をユーザが容易に判断できるように表示する。【解決手段】  光源と、前記光源を発光させるための電荷を蓄積する蓄電部材と、前記蓄電部材の充電電圧を検出する検出手段と、前記検出手段により検出された充電電圧を表す充電情報を表示する表示手段と、前記表示手段の表示制御を行う制御手段と、を有し、前記制御手段は、前記検出手段により検出された充電電圧のレベルに応じて前記表示手段に表示させる前記充電情報を変化させる。【選択図】  図５
2015146005.tif 000002
【特許請求の範囲】
【請求項１】
光源と、
前記光源を発光させるための電荷を蓄積する蓄電部材と、
前記蓄電部材の充電電圧を検出する検出手段と、
前記検出手段により検出された充電電圧を表す充電情報を表示する表示手段と、
前記表示手段の表示制御を行う制御手段と、を有し、
前記制御手段は、前記検出手段により検出された充電電圧のレベルに応じて前記表示手段に表示させる前記充電情報を変化させることを特徴とする発光装置。
【請求項２】
前記制御手段は、前記検出手段により検出された充電電圧のレベルが充電により所定のレベルを超えると、前記検出手段により検出された充電電圧のレベルが前記所定のレベルを超えていることを表す前記充電情報を表示させ、表示開始後に所定時間が経過すると当該充電情報の表示を終了させることを特徴とする請求項１に記載の発光装置。
【請求項３】
前記制御手段は、前記検出手段により検出された充電電圧のレベルが前記所定のレベルを超えていることを表す前記充電情報を表示させてから前記所定時間が経過すると当該充電情報に替えて他の情報を表示させることを特徴とする請求項２に記載の発光装置。
【請求項４】
前記制御手段は、前記蓄電部材の充電が開始されると前記他の情報に替えて前記充電情報を表示させることを特徴とする請求項３に記載の発光装置。
【請求項５】
前記制御手段は、前記他の情報として、照射範囲に関する情報を表示させることを特徴とする請求項３または４に記載の発光装置。
【請求項６】
前記検出手段により検出された充電電圧のレベルが前記所定のレベルを超えていることを報知する報知手段を有することを特徴とする請求項１ないし５のいずれか１項に記載の発光装置。
【請求項７】
前記報知手段は、前記検出手段により検出された充電電圧のレベルが前記所定のレベルを超えていると点灯することを特徴とする請求項６に記載の発光装置。
【請求項８】
前記充電情報は、前記検出手段により検出された充電電圧のレベルに応じて反転部分が異なるバーであることを特徴とする請求項１ないし７のいずれか１項に記載の発光装置。
【発明の詳細な説明】
【技術分野】
【０００１】
本発明は、発光装置に関し、特に発光に用いる電荷を蓄積する蓄電部材の充電状態の表示に関するものである。
【背景技術】
【０００２】
従来の発光装置では、発光に用いる電荷を蓄積する主コンデンサの電圧が発光可能なレベルに到達しているか否かを、ＬＥＤなどを点灯させることでユーザに認識をさせていた。
【０００３】
特許文献１ではストロボの充電状態を表示する充電警告ランプを有し、ストロボの充電中には充電警告ランプを点滅表示し、充電完了時に充電警告ランプを連続点灯表示するストロボ充電表示制御装置が記載されている。また、特許文献１には、充電電圧の増加に伴って充電警告ランプの点滅時の点灯時間を変化するように制御することが記載されている。
【先行技術文献】
【特許文献】
【０００４】
【特許文献１】特開２００２−１４８６９８号公報
【発明の概要】
【発明が解決しようとする課題】
【０００５】
しかしながら、上述の特許文献１に記載された技術では、充電警告ランプの点滅時の点灯時間の違いで電圧がどのレベルにいるか判別することは困難である。
【０００６】
さらに、上述の特許文献１に記載された技術では、充電警告ランプの点滅時の点灯時間の違いから電池の消耗状態を判断することも困難である。
【０００７】
そこで、本発明の目的は、電池の消耗状態をユーザが容易に判断できるように表示することを目的とする。
【課題を解決するための手段】
【０００８】
上記目的を達成するために、本発明にかかる発光装置は、光源と、前記光源を発光させるための電荷を蓄積する蓄電部材と、前記蓄電部材の充電電圧を検出する検出手段と、前記検出手段により検出された充電電圧を表す充電情報を表示する表示手段と、前記表示手段の表示制御を行う制御手段と、を有し、前記制御手段は、前記検出手段により検出された充電電圧のレベルに応じて前記表示手段に表示させる前記充電情報を変化させることを特徴とする。
【発明の効果】
【０００９】
本発明によれば、電池の消耗状態をユーザが容易に判断できるように表示することができる。
【図面の簡単な説明】
【００１０】
【図１】本発明の実施形態にかかるカメラシステムのブロック図である。
【図２】カメラマイコン１０１の動作を説明するフローチャートを示す図である。
【図３】カメラマイコン１０１の動作を説明するフローチャートを示す図である。
【図４】発光装置マイコン３１０の動作を説明するフローチャートを示す図である。
【図５】発光装置マイコン３１０の動作を説明するフローチャートを示す図である。
【図６】発光装置３００の入力部３２０、表示部３２１、発光可非確認ランプ３２２のレイアウトの例を示す図である。
【図７】表示部３２１の表示例を示す図である。
【図８】本発明の実施形態にかかる充電動作時の時間と充電電圧のグラフを示す図である。
【発明を実施するための形態】
【００１１】
以下に、本発明の好ましい実施の形態を、添付の図面に基づいて詳細に説明する。図１は、本発明の実施形態にかかるカメラシステムのブロック図である。
【００１２】
図１に示すカメラシステムは、カメラ本体１００、撮影レンズ２００及び発光装置３００を有する。
【００１３】
まず、カメラ本体１００の構成について説明する。１０１はカメラ本体１００の各部を制御する制御部として機能するマイクロコンピュータＣＣＰＵ（以下、「カメラマイコン」と呼ぶ）である。カメラマイコン１０１はマイコン内蔵ワンチップＩＣ回路からなり、カメラシステムの制御をソフトウェアで行い、各種の判断を行う。マイコン内蔵ワンチップＩＣ回路は、ＣＰＵ、ＲＯＭ、ＲＡＭ、入出力制御回路、マルチプレクサ、タイマー回路、ＥＥＰＲＯＭ、Ａ／Ｄ、Ｄ／Ａコンバータ等を含む。
【００１４】
１０２は赤外カットフィルタやローパスフィルタ等を含むＣＣＤ、ＣＭＯＳ等の撮像素子であり、後述のレンズ群２０２によって撮影時に被写体の像が結像される。１０３はシャッターであり、非撮影時には撮像素子１０２を遮光し、撮影時には開いて撮像素子１０２へ光線を導く。
【００１５】
１０４は主ミラー（ハーフミラー）で非撮影時にレンズ群２０２より入射する光の一部を反射し、ピント板１０５に結像させる。ユーザは不図示の光学ファインダーを介してピント板１０５を覗くことで焦点状態を目視で確認することができる。
【００１６】
１０６は測光部であり、被写体の撮影範囲を複数の領域に分割する測光センサーを有し、各領域で被写体の輝度を検出する。
【００１７】
１０７は焦点検出回路で、回路内の焦点検出センサーは複数点を焦点検出ポイントとして持ち、測光センサーの分割された部分に対応した位置に焦点検出ポイントが含まれているよう構成されている。測光部１０６の測光センサーは後述のペンタプリズム１１４を介してピント板１０５に結像された被写体像を見込んでいる。
【００１８】
１０８は撮像素子１０２の出力信号（電気信号）の増幅のゲインを切換えるゲイン切換え回路である。ゲインの切換えは撮影条件や撮影者の入力等に基づき、カメラマイコン１０１により制御される。
【００１９】
１０９は増幅された撮像素子１０２からのアナログ信号をデジタル信号に変換するＡ／Ｄ変換器で、１１０は撮像素子１０２の増幅された信号入力とＡ／Ｄ変換器１０９の変換タイミングを同期させるためのタイミングジェネレータ（ＴＧ）である。１１１はＡ／Ｄ変換器１０９でデジタル信号に変換された画像データをパラメータに従って画像処理を行うデジタル信号処理回路である。
【００２０】
ＳＣはカメラ本体１００と撮影レンズ２００及びカメラ本体１００と発光装置３００とのインタフェースの信号ラインであり、カメラマイコン１０１をホストとしてデータの交換やコマンドの伝達を相互に行うのに使用される。
【００２１】
１１２は入力部で各種スイッチやボタンを含む。入力部１１２は、撮像素子１０２のゲイン、単写・連写切換えモード（連写時は低速、中速、高速）、日中シンクロモードを含む撮影モードを設定したり、その他の入力を行ったりするのに使用される。１１３は液晶装置や発光素子などからなる表示部である。表示部１１３は、各種設定されたモードやその他の撮影情報を表示する。また、入力部１１２は、カメラ本体１００電源のオンとオフを切り替える電源スイッチや、シャッターボタンを含んでいる。
【００２２】
１１４はペンタプリズムで、ピント板１０５の被写体像を測光部１０６内の測光センサー及び不図示の光学ファインダーに導く。１１５はサブミラーで、レンズ群２０２より入射し、主ミラー１０４を透過した光線を焦点検出回路１０７の焦点検出センサーへ導く。
【００２３】
次に、撮影レンズ２００の構成について説明する。撮影レンズ２００はカメラ本体１００に着脱可能でもカメラ本体１００と一体化されていてもよい。
【００２４】
２０１は撮影レンズ２００の各部の動作を制御するマイクロコンピュータＬＰＵ（以下、「レンズマイコン」と呼ぶ）である。レンズマイコン２０１はマイコン内蔵ワンチップＩＣ回路からなり、カメラシステムの制御をソフトウェアで行い、各種の判断を行う。マイコン内蔵ワンチップＩＣ回路は、ＣＰＵ、ＲＯＭ、ＲＡＭ、入出力制御回路、マルチプレクサ、タイマー回路、ＥＥＰＲＯＭ、Ａ／Ｄ、Ｄ／Ａコンバータ等を含む。
【００２５】
２０２は複数枚で構成されたレンズ群である。２０３はレンズ群２０２の焦点調節のために移動させるレンズ駆動部であり、レンズ群２０２の駆動量は、焦点検出回路１０７の出力に基づいてカメラマイコン１０１にて算出される。
【００２６】
２０４はレンズ群２０２の駆動位置を検出するエンコーダである。算出された駆動量はカメラマイコン１０１からレンズマイコン２０１に通信され、エンコーダ２０４の駆動情報により駆動量分だけレンズマイコン２０１がレンズ駆動部２０３を介してレンズ群２０２を合焦位置に移動する。
【００２７】
２０５は絞りで、２０６は絞り制御回路であり、絞り２０５は絞り制御回路２０６を介してレンズマイコン２０１により制御される。なお、レンズ群２０２の焦点距離は単焦点でもズームレンズのように可変でもよい。
【００２８】
次に、発光装置３００の構成について説明する。発光装置３００はカメラ本体１００に着脱可能でもカメラ本体１００と一体化されていてもよい。
【００２９】
３１０は発光装置３００の各部の動作を制御するマイクロコンピュータＦＰＵ（以下、「発光装置マイコン」と呼ぶ）である。発光装置マイコン３１０はマイコン内蔵ワンチップＩＣ回路からなり、カメラシステムの制御をソフトウェアで行い、各種の判断を行う。マイコン内蔵ワンチップＩＣ回路は、ＣＰＵ、ＲＯＭ、ＲＡＭ、入出力制御回路、マルチプレクサ、タイマー回路、ＥＥＰＲＯＭ、Ａ／Ｄ、Ｄ／Ａコンバータ等を含む。
【００３０】
３０１は発光装置３００の電源（ＶＢＡＴ）としての電池であり、昇圧回路３０２、発光装置マイコン３１０に接続される。昇圧回路３０２は電池３０１の電圧を数百Ｖに昇圧し、主コンデンサ３０３に電荷を蓄積させ、発光装置マイコン３１０のａ端子に接続され、充電制御を行なう。３０３は光源である放電管を発光させるための電荷を蓄積する蓄電部材である主コンデンサで、本実施形態では３３０Ｖまで充電して発光時に放電する。
【００３１】
３１３は電圧検出回路で主コンデンサ３０３の両端に接続され、主コンデンサ３０３の電圧を検出する。主コンデンサ３０３に充電された電圧は電圧検出回路３１３により抵抗３０４及び３０５により分圧され、分圧された電圧は発光装置マイコン３１０のｉ端子を介してＡ／Ｄ変換端子に入力される。この充電状態の情報は発光装置マイコン３１０からＳＣ通信を介してカメラマイコン１０１に通信される。
【００３２】
３０６はトリガ回路であり、発光装置マイコン３１０のｂ端子に接続され、発光時に発光装置マイコン３１０よりトリガ信号パルスが出力される。
【００３３】
３０７は放電管であり、主コンデンサ３０３に蓄積された電荷をトリガ回路３０６から印加される数ＫＶのパルス電圧を受けて励起することで発光する。３０８はトリガ回路３０６と共に放電管３０７の発光の開始及び停止を制御する発光制御回路である。
【００３４】
３２３は放電管３０７の発光量を受光するセンサーとしてのフォトダイオードであり、直接又はグラスファイバーなどを介して放電管３０７の光を受光する。３０９はフォトダイオード３２３の受光電流を積分する積分回路であり、入力は積分開始信号として発光装置マイコン３１０のｆ端子に接続される。積分回路３０９の出力はコンパレータ３１２の反転入力端子と発光装置マイコン３１０のｅ端子を介してＡ／Ｄコンバータ端子に入力される。コンパレータ３１２の非反転入力は発光装置マイコン３１０のｄ端子を介してＤ／Ａコンバータ出力端子に接続され、コンパレータ３１２の出力はＡＮＤゲート３１１の入力端子に接続される。ＡＮＤゲート３１１のもう一方の入力は発光装置マイコン３１０のｃ端子を介して発光制御端子と接続され、ＡＮＤゲート３１１の出力は発光制御回路３０８に入力される。
【００３５】
３１５は放電管３０７の光を被写体側に反射する反射傘、３１６はパネル等からなり、発光装置３００の照射範囲を決める光学系である。
【００３６】
３２０は入力部（入力インタフェース）であり、出力は発光装置マイコン３１０のｈ端子に接続される。発光装置３００にはスイッチが設置されており、手動により発光情報を入力することもできる。
【００３７】
３２１は発光装置３００の各状態を表示する表示部であり、発光装置マイコン３１０のｇ端子より入力された情報を表示する。表示部はＬＣＤ、ＴＦＴ等の書き換え可能な表示部材で構成されている。
【００３８】
３２２は発光可非確認ランプ（パイロットランプ、ＰＬ）で、主コンデンサ３０３の充電電圧が発光可能電圧に到達したら点灯する発光素子（例えばＬＥＤ）である。発光装置マイコン３１０のｊ端子出力により発光する。
【００３９】
入力部３２０、表示部３２１、発光可非確認ランプ３２２のレイアウトの例を図６を用いて説明する。
【００４０】
図６の例では、入力部３２０に含まれるスイッチ３２０−０は電源のオンとオフを切り替えるための電源スイッチで、ボタン３２０−１〜３２０−４は発光装置３００の発光情報を変更する。表示部３２１はボタン３２０−１〜３２０−４で変更可能な発光情報を表示したり、カメラ本体１００から取得した撮影情報を表示する。
【００４１】
次に、図２及び図３を参照して、カメラマイコン１０１の動作について説明する。
【００４２】
入力部１１２の電源スイッチがオンされてカメラマイコン１０１が動作可能となると、カメラマイコン１０１は、まず、自身のメモリやポートの初期化を行う（ステップＳ１）。
【００４３】
カメラマイコン１０１は、入力部１１２より入力された情報を読み込み、各種の撮影モードの設定を行う。次に、カメラマイコン１０１は、入力部１１２のシャッターボタンが半押し（ＳＷ１がオン）されたかどうかを判断し（ステップＳ２）、ＳＷ１がオンになるまでこのステップを繰り返す。
【００４４】
ＳＷ１がオンであると判断すると、カメラマイコン１０１はレンズマイコン２０１と信号ラインＳＣを介して通信を行い、撮影レンズ２００の焦点距離情報（以下、レンズの焦点距離情報）や焦点検出、測光に必要な光学情報を取得する（ステップＳ３）。
【００４５】
次に、カメラマイコン１０１は、カメラ本体１００に発光装置３００が装着されているかどうかを判断する（ステップＳ４）。
【００４６】
カメラ本体１００に発光装置３００が装着されていると判断すれば、カメラマイコン１０１は発光装置マイコン３１０と信号ラインＳＣを介して通信を行い、ステップＳ３で取得したレンズの焦点距離情報を発光装置マイコン３１０に出力する（ステップＳ５）。発光装置マイコン３１０は受信した焦点距離情報に基づいて発光装置３００の照射範囲を制御する。
【００４７】
次に、カメラマイコン１０１は発光装置マイコン３１０と信号ラインＳＣを介して通信を行い、発光装置マイコン３１０のメモリに格納されている発光情報を送信するように命令する。これに応答して発光装置マイコン３１０から出力された発光装置情報を、カメラマイコン１０１は入力する（ステップＳ６）。発光装置情報は、現在の発光情報、主コンデンサ３０３の充電状態の情報を含む。
【００４８】
カメラ本体１００に発光装置３００が装着されていない場合、または、ステップＳ６の後に、カメラマイコン１０１はオートフォーカス（ＡＦ）モードであるかどうかを判断する（ステップＳ７）。
【００４９】
ＡＦモードであると判断すると、カメラマイコン１０１は、焦点検出回路１０７を駆動して位相差検出法による焦点検出動作を行う（ステップＳ８）。ステップＳ８において焦点検出ポイントは、入力部１１２への入力に応じて決定されたり、撮影モードに応じて決定されたり、自動選択アルゴリズムで決定されたりする。
【００５０】
カメラマイコン１０１は、ステップＳ８で決定された焦点検出ポイントをカメラマイコン１０１の図示しないＲＡＭに記憶させ、焦点検出回路１０７の情報に基づきレンズの駆動量を演算する。
【００５１】
カメラマイコン１０１は演算結果をレンズマイコン２０１に送信し、演算結果に基づきレンズマイコン２０１はレンズ駆動部２０３を制御してレンズ群２０２を合焦位置に駆動する（ステップＳ９）。
【００５２】
次に、カメラマイコン１０１は、例えば撮影画面を６つのエリアに分割した被写体の輝度値を測光部１０６から取得し（ステップＳ１０）、輝度値をＥＶｂ（ｉ）（ｉ＝０〜５）としてＲＡＭに記憶する。
【００５３】
次に、カメラマイコン１０１は、入力部１１２への入力に基づいてゲイン切換え回路１０８を介してゲイン設定、例えば、ＩＳＯ感度設定、を行なう（ステップＳ１１）。
【００５４】
ここで、カメラマイコン１０１は、発光装置マイコン３１０と信号ラインＳＣを介して通信を行い、取得したゲイン設定情報を発光装置マイコン３１０に出力する。
【００５５】
次に、カメラマイコン１０１は、複数のエリアの被写体の輝度値ＥＶｂから周知のアルゴリズムにより露出値（ＥＶｓ）を演算する（ステップＳ１２）。
【００５６】
次に、カメラマイコン１０１は、発光装置マイコン３１０が充電完了信号を出力しているかどうかを判断する（ステップＳ１３）。
【００５７】
ステップＳ１３の判断結果は、後のステップで用いるので記憶する。発光装置マイコン３１０が充電完了信号を出力していれば、カメラマイコン１０１は、発光装置３００を撮影時に発光させる発光撮影に適したシャッター速度Ｔｖ及び絞り値ＡｖをステップＳ１２にて得られた露出値に基づいて決定する（ステップＳ１４）。
【００５８】
発光装置マイコン３１０が充電完了信号を出力していなければ、カメラマイコン１０１は、発光装置３００を撮影時に発光させない自然光撮影に適したシャッター速度Ｔｖ及び絞り値ＡｖをＳ１２にて得られた露出値に基づいて決定する（ステップＳ１５）。
【００５９】
ステップＳ１４またはステップＳ１５の後は、カメラマイコン１０１は、発光装置マイコン３１０と信号ラインＳＣを介して通信を行い、その他の発光に関する情報を発光装置マイコン３１０に出力する（ステップＳ１６）。
【００６０】
次に、カメラマイコン１０１は、入力部１１２のレリーズボタンが全押し（ＳＷ２がオン）されたかどうかを判断する（ステップＳ１７）。ＳＷ２がオフであればステップＳ２に戻りし、ＳＷ２がオンであれば図３に示すレリーズ後の動作に移行する。
【００６１】
以下、図３を参照して、レリーズ後の動作について説明する。図３では、発光撮影を行う場合の動作を説明する。
【００６２】
まず、カメラマイコン１０１は、発光装置３００のプリ発光の直前に被写体の輝度を測光部１０６から取得する（外光輝度測光）（ステップＳ１８）。６分割されたセンサーの各輝度値はＥＶａ（ｉ）（ｉ＝０〜５）として図示しないＲＡＭに記憶させる。
【００６３】
次に、カメラマイコン１０１は、発光装置マイコン３１０にプリ発光を命令する（ステップＳ１９）。
【００６４】
発光装置マイコン３１０は、この命令に従って、発光制御回路３０８、トリガ回路３０６を制御して所定時間所定光量のフラットな発光を行い、被写体に照射するプリ発光動作を行う。
【００６５】
次に、カメラマイコン１０１はプリ発光時の被写体輝度を測光部１０６により得る（ステップＳ２０）。ここでは、その輝度値は６つの測光エリアに分割された領域に応じて、ＥＶｆ（ｉ）（ｉ＝０〜５）として、図示しないＲＡＭに記憶させる。
【００６６】
次に、カメラマイコン１０１は、露光動作に先立って主ミラー１０４をアップさせ、撮影光路内から退去させる（ステップＳ２１）。
【００６７】
次に、カメラマイコン１０１は、プリ発光時の被写体の輝度値ＥＶｆからプリ発光直前の被写体の輝度値ＥＶａを伸張して差分を取り、プリ発光の反射光成分のみの輝度値ＥＶｄｆ（ｉ）を抽出する（ステップＳ２２）。
【００６８】
抽出は６つの測光エリア毎に、ＥＶｄｆ（ｉ）←ＬＮ２（２＾ＥＶｆ（ｉ）−２＾ＥＶａ（ｉ））（ｉ＝０〜５）のように行われる。
【００６９】
次に、カメラマイコン１０１は、発光装置マイコン３１０よりプリ発光量のデータを得る（ステップＳ２３）。
【００７０】
プリ発光量は、主コンデンサ３０３の発光直前の充電電圧やズーム位置により変化し、発光装置マイコン３１０によって補正される値である。
【００７１】
次に、カメラマイコン１０１は、本発光量を演算する（ステップＳ２４）。具体的には、焦点検出ポイント、焦点距離、プリ発光量等から、発光量を分割された６つの測光エリアのうちどのエリアの被写体に対して適正にするかを決定する。
【００７２】
カメラマイコン１０１は、選出されたエリアＰ（０〜５のうちのどれか）を図示しないＲＡＭに記憶する。
【００７３】
また、露出値（ＥＶｓ）と被写体輝度（ＥＶｂ）と感度（ゲイン）とプリ発光反射光分のみの輝度値ＥＶｄｆ（ｐ）とからエリアＰのプリ発光量に対して適正な本発光量の比ｒを算出する（ｒ←ＬＮ２（２＾ＥＶｓ−２＾ＥＶｂ（ｐ））−ＥＶｄｆ（ｐ））。
【００７４】
露出値（ＥＶｓ）から被写体輝度（ＥＶｂ）の伸張したものの差分をとっているのは、発光装置３００から光を照射したときの露出が外光分に発光装置３００からの光を加えて適正となるように制御するためである。
【００７５】
次に、カメラマイコン１０１は、シャッター速度Ｔｖ、プリ発光の発光時間（ｔ＿ｐｒｅ）、入力部１１２から入力された補正係数ｃを用いて比ｒを補正する（ｒ←ｒ＋Ｔｖ−ｔ＿ｐｒｅ＋ｃ）（ステップＳ２５）。シャッター速度Ｔｖとプリ発光の発光時間（ｔ＿ｐｒｅ）を用いて補正するのは、発光装置３００の回路内でプリ発光の測光積分値と本発光の測光積分値とを正しく比較するためである。
【００７６】
次に、カメラマイコン１０１は、信号ラインＳＣを介して発光装置マイコン３１０へ本発光量を決定するためのプリ発光量の比ｒを送信する（ステップＳ２６）。
【００７７】
次に、カメラマイコン１０１は、決められた露光値ＥＶｓに基づく絞り値Ａｖになるようにレンズマイコン２０１に命令すると共にシャッター速度Ｔｖになるように図示しないシャッター制御回路を介してシャッター１０３を制御する（ステップＳ２７）。
【００７８】
次に、シャッター１０３の全開に同期してカメラマイコン１０１は発光装置マイコン３１０に本発光を命令し（ステップＳ２８）、発光装置マイコン３１０は、カメラから送られてきた比ｒに基づいて適正な発光量になるように本発光制御を行う。
【００７９】
こうして一連の露光動作が終了すると、カメラマイコン１０１は、撮影光路より退去させていた主ミラー１０４をダウンして再び撮影光路内に斜設する（ステップＳ２９）。
【００８０】
次に、カメラマイコン１０１は、撮像素子１０２からの画像信号をゲイン切換え回路１０８に設定されたゲインで増幅した信号をＡ／Ｄ変換器１０９でデジタル信号に変換する（ステップＳ３０）。
【００８１】
Ｓ３０において、変換されたデジタル信号に対してはホワイトバランスなど所定の信号処理が信号処理回路１１１によって行われる。そして、カメラマイコン１０１は、処理された画像データを図示しないメモリに記録して（ステップＳ３１）、１枚の静止画撮影ルーチンを終了する。
【００８２】
以下、図４、図５、図７、図８を参照して、発光装置３００の発光装置マイコン３１０の発光制御動作について説明する。
【００８３】
図４のフローチャートにて、電源スイッチ３２０−０がオンされて発光装置マイコン３１０が動作可能となると、発光装置マイコン３１０は、自身のメモリやポートの初期化を行う（ステップＳ１０１）。
【００８４】
発光装置マイコン３１０は、入力部３２０より入力された情報を読み込み、各種の発光に関する設定を行う（ステップＳ１０２）。
【００８５】
カメラマイコン１０１より発光装置マイコン３１０と信号ラインＳＣを介して通信があったときは、発光情報を発光装置マイコン３１０に出力する。また、発光装置マイコン３１０は、この情報を内部の図示しないＲＡＭに記憶させる（ステップＳ１０３）。
【００８６】
次に発光装置マイコン３１０は自身のメモリ内に記憶された発光情報、また、これ以前に発光情報を自身のメモリに記憶していたならば記憶内容を更新する。そして、発光装置マイコン３１０は、自身のメモリ内に記憶された発光情報を表示部３２１に表示する（ステップＳ１０４）。
【００８７】
ここで、図７を用いて表示部３２１の表示例を説明する。図７（ａ）は通常状態の表示例を示している。７００−１は発光モードを示し「Ｍ」はマニュアル発光のモードを意味する。７００−２はマニュアル発光の発光量を示し、「１／１６」はフル発光の１／１６発光を意味する。７０１はシャッタースピード、７０２は絞り値、７０３はＩＳＯ感度を示す。７０４−１の「Ｚｏｏｍ」は発光装置３００がズーム状態であることを意味し、７０４−２はレンズ焦点距離時に対応したズーム位置であることを意味している。「５０ｍｍ」はレンズ焦点距離５０ｍｍで最適な照射範囲となるズーム位置であることを意味している。
【００８８】
図４のフローチャートに戻って、次に発光装置マイコン３１０は電圧検出回路３１３により主コンデンサ３０３の充電電圧を検出する（ステップＳ１０５）。
【００８９】
ここで、図８を用いて充電動作時の時間と充電電圧の関係を説明する。図８に示すグラフは、充電動作時の時間と充電電圧の関係を表すグラフであって、横軸が時間、縦軸が主コンデンサ３０３の充電電圧を表している。図８の詳細については後述する。
【００９０】
発光装置マイコン３１０は、検出した充電電圧がフル充電、すなわち充電が完了しているか（図８の主コンデンサ電圧がＶＭｃ６のレベルに達しているか）を判断する（ステップＳ１０６）。
【００９１】
フル充電と判断されたら、発光装置マイコン３１０は、フル充電完了信号を出力して充電の停止動作と発光準備ができたことをカメラマイコン１０１に通知する（ステップＳ１１０）。
【００９２】
充電完了ではないと判断すると、発光装置マイコン３１０は、充電未完了信号を出力して発光準備ができていないことをカメラマイコン１０１に通知する（ステップＳ１０７）。
【００９３】
さらに、充電完了ではないと判断すると、ステップＳ１０７にて発光装置マイコン３１０は、昇圧回路３０２を動作させて主コンデンサ３０３を充電する動作を行う。
【００９４】
充電完了ではない場合は、発光装置マイコン３１０は未充電の充電状態の表示を表示部３２１に表示させる（ステップＳ１０８）。このステップＳ１０８の表示制御については後述する。
【００９５】
次に、発光装置マイコン３１０はステップＳ１０６と同様に、フル充電、すなわち充電が完了しているか（（図８の主コンデンサ電圧がＶＭｃ６のレベルに達しているか）を判断する（ステップＳ１０９）。
【００９６】
フル充電でなければステップＳ１０７へ戻り、フル充電であればステップＳ１１０へ進む。
【００９７】
次に、発光装置マイコン３１０は、カメラマイコン１０１より発光開始用信号（発光トリガ）が出力されているかどうかを判断し（ステップＳ１１１）、発光開始用信号が出力されていなければＳ１０２に戻る。
【００９８】
一方、発光開始用信号が出力されていると判断すれば、発光装置マイコン３１０は、発光装置マイコン３１０の発光制御端子よりＡＮＤゲート３１１を介して発光制御回路３０８にトリガ信号を与えて発光を開始させる（ステップＳ１１２）。
【００９９】
次に、発光装置マイコン３１０は発光停止にすべきかどうかを判断する（ステップＳ１１３）。すなわち、発光装置マイコン３１０は、本発光量演算値で決められた光量に相当する発光量に到達したかを、直接またはグラスファイバーなどを介して放電管３０７から光をフォトダイオード３２３で受光することで判断する。
【０１００】
積分回路３０９でフォトダイオード３２３の受光電流を積分し、その出力は３１２のコンパレータの反転入力端子と発光装置マイコン３１０のＡ／Ｄコンバータ端子に入力される。コンパレータ３１２の非反転入力は発光装置マイコン３１０内のＤ／Ａコンバータ出力端子に接続され、本発光量演算値で決められた光量に相当する発光量に相当するＤ／Ａコンバータ値が設定されている。発光装置マイコン３１０は、このレベルに到達していないと判断すると発光を継続し、到達したと判断するとＡＮＤゲート３１１より発光停止信号を送信し、発光制御回路３０８を介して発光を停止する（ステップＳ１１４）。
【０１０１】
この後、処理はＳ１０２に戻る。
【０１０２】
次に、ステップＳ１０８で実行される充電状態の表示制御動作について、図５、図７、図８を用いて説明する。
【０１０３】
図８では、主コンデンサ３０３の充電電圧を電圧分割してＶＭｃ１からＶＭｃ６のように分割している。図８では、ＶＭｃ１＜ＶＭｃ２＜ＶＭｃ３＜ＶＭｃ４＜ＶＭｃ５＜ＶＭｃ６として、ＶＭｃ５を放電管３０７の発光可能電圧として設定し、ＶＭｃ６をフル充電として設定している。分割数については一例であり２分割以上であれば同様である。
【０１０４】
ステップＳ１０８において、発光装置３１０は、図４のステップＳ１０５にて検出した充電電圧がＶＭｃ１以上であるか判断し（ステップＳ２０１）、ＶＭｃ１以上でなければ、表示部３２１にＬＶＬ０に応じた充電情報を表示させる（ステップＳ２０２）。
【０１０５】
充電情報の表示については図７（ｂ）、図７（ｃ）を用いて説明を行う。
【０１０６】
充電情報を表示するときには、通常状態（図７（ａ））にて表示されていた「Ｚｏｏｍ」表示に替えて、図７（ｂ）に示すように、新たに７０５−１の「ＣＨＡＲＧＥ」のような充電状態を示す情報と充電レベルを示す５段階表示のバーを表示する。５段階表示のバーは図７（ｂ）に示すように、充電電圧の大小に応じて反転部分が増減する。ステップＳ２０２では、ＬＶＬ０であることを表す充電情報（５段階全てを非反転）となり、ステップＳ２０１に戻る。
【０１０７】
充電電圧がＶＭｃ１以上であれば、発光装置マイコン３１０は表示部３２１にＬＶＬ１に応じた充電情報を表示させる（ステップＳ２０３）。
【０１０８】
ステップＳ２０３では、ＬＶＬ１であることを表す充電情報（５段階の左端のみ反転）となり、ステップＳ２０４へ進む。
【０１０９】
次に、発光装置マイコン３１０は充電電圧がＶＭｃ２以上であるか判断し（ステップＳ２０４）、ＶＭｃ２以上でなければ、ステップＳ２０１へ戻り、ＶＭｃ２以上であれば、表示部３２１にＬＶＬ２に応じた充電情報を表示させる（ステップＳ２０５）。
【０１１０】
ステップＳ２０５では、ＬＶＬ２であることを表す充電情報（５段階の左端から２つを反転）となり、ステップＳ２０６へ進む。
【０１１１】
次に、発光装置マイコン３１０は充電電圧がＶＭｃ３以上であるか判断し（ステップＳ２０６）、ＶＭｃ３以上でなければ、ステップＳ２０１へ戻り、ＶＭｃ３以上であれば、表示部３２１にＬＶＬ３に応じた充電情報を表示させる（ステップＳ２０７）。
【０１１２】
ステップＳ２０７では、ＬＶＬ３であることを表す充電情報（５段階の左端から３つを反転）となり、ステップＳ２０８へ進む。
【０１１３】
次に、発光装置マイコン３１０は充電電圧がＶＭｃ４以上であるか判断し（ステップＳ２０８）、ＶＭｃ４以上でなければ、ステップＳ２０１へ戻り、ＶＭｃ４以上であれば、表示部３２１にＬＶＬ４に応じた充電情報を表示させる（ステップＳ２０９）。
【０１１４】
ステップＳ２０９では、ＬＶＬ４であることを表す充電情報（５段階の左端から４つを反転）となり、ステップＳ２１０へ進む。
【０１１５】
次に、発光装置マイコン３１０は充電電圧がＶＭｃ５以上であるか判断し（ステップＳ２１０）、ＶＭｃ５以上でなければ、ステップＳ２０１へ戻り、ＶＭｃ５以上であれば、表示部３２１にＬＶＬ５に応じた充電情報を表示させる（ステップＳ２１１）。
【０１１６】
ステップＳ２１１では、ＬＶＬ５であることを表す充電情報（５段階全てを反転）となり、ステップＳ２１２へ進む。
【０１１７】
発光可能電圧と判断されたら、発光装置マイコン３１０は発光可能信号を出力して発光準備ができたことをカメラマイコン１０１に通知する（ステップＳ２１２）。
【０１１８】
次に、発光装置マイコン３１０は、カメラマイコン１０１より発光開始用信号（発光トリガ）が出力されているかどうかを判断し（ステップＳ２１３）、発光開始用信号が出力されていなければＳ２１４に進む。
【０１１９】
発光トリガが出力されていなければ、ＬＶＬ５であることを表す充電情報の表示開始後、予め発光装置マイコン３０１で設定、もしくは記憶したタイマー時間（Ｔｄ）の間、充電情報の表示を継続させる（ステップＳ２１４）。このタイマー時間（Ｔｄ）は、充電情報を十分認識できる時間とする。
【０１２０】
次に、発光開始用信号が出力されることなくタイマー時間（Ｔｄ）が経過した場合、発光装置マイコン３１０は充電情報の表示を終了し（ステップＳ２１５）、図７の（ａ）に示すような「Ｚｏｏｍ」表示がなされる通常状態に復帰させる（ステップＳ２１６）。
【０１２１】
一方、発光装置マイコン３１０は、発光開始用信号が出力されていると判断すれば、図４のステップ１１２へ進む。
【０１２２】
以上のように、本実施形態では、主コンデンサ３０３の充電電圧のレベルを複数の段階に分けて、現在どの段階なのかを示す充電情報を表示することで、ユーザは主コンデンサ３０３の充電電圧のレベルを容易に判断することができる。また、主コンデンサ３０３の充電電圧のレベルを容易に判断することができるため、充電電圧のレベルの変化の仕方から、発光装置３００の電池３０１の消耗状態もユーザが容易に判断することができる。例えば、充電電圧のレベルの変化が急である場合には電池３０１の消耗は少ないと判断でき、充電電圧のレベルの変化が緩やかである場合には電池３０１の消耗は大きいと判断できる。
【０１２３】
なお、主コンデンサ３０３の充電状態は表示部３２１以外で報知するようにしてもよく、ステップＳ２１５にて充電情報の表示を終了させた後に、充電電圧がＬＶＬ５以上であることを示すために発光可非確認ランプを点灯させてもよい。このようにすることで、充電情報が表示されていなくても、発光可能な状態であるか否かをユーザが判断することができる。さらに、充電電圧が発光許可電圧以上では充電電圧のレベルの変化率は低く、充電電圧のレベルの変化から電池３０１の消耗状態を判断することは難しいので、充電情報よりも他の情報を優先的に表示することで、効率的に情報をユーザに報知することができる。
【０１２４】
以上、本発明の好ましい実施形態について説明したが、本発明はこれらの実施形態に限定されず、その要旨の範囲内で種々の変形及び変更が可能である。
【０１２５】
例えば、本実施形態では、充電情報として充電電圧のレベルの変化を表すバーを表示する例を説明したが、充電情報として充電電圧のレベルに対応する数値を表示するようにしてもよい。
【０１２６】
また、本実施形態では、充電情報と照射範囲に関する情報とを切り替えて表示するようにしているが、充電情報と切り替える他の情報は特に限定されない。
【０１２７】
また、本実施形態では、カメラシステムの一部である発光装置３００を用いているが、カメラ本体１００やレンズ２００は、発光装置３００の充電状態に関係しないので、カメラ本体１００やレンズ２００のないシステムに適用してもよい。
【０１２８】
また、本実施形態では、主コンデンサ３０３に蓄積された電荷を用いて放電管３０７を発光させる発光装置３００について説明したが、蓄電部材に電荷を蓄積し、蓄積された電荷を用いて光源を発光させる発光装置であれば本発明は適用できる。例えば、電気２重層キャパシタ（Ｅｌｅｃｔｒｉｃ  ｄｏｕｂｌｅ−ｌａｙｅｒ  ｃａｐａｃｉｔｏｒ、ＥＤＬＣ）を蓄電部材に用いて、ＬＥＤを光源とする発光装置であってもよい。
【符号の説明】
【０１２９】
３００  発光装置
３０１  主コンデンサ
３１０  発光装置マイコン
３２１  表示部
３２２  発光可非確認ランプ
【図１】
2015146005.tif 000003
【図２】
2015146005.tif 000004
【図３】
2015146005.tif 000005
【図４】
2015146005.tif 000006
【図５】
2015146005.tif 000007
【図６】
2015146005.tif 000008
【図７】
2015146005.tif 000009
【図８】
2015146005.tif 000010